(57)【特許請求の範囲】
【請求項１】
中心導体及び該中心導体を包囲する外側導体を有した同軸ケーブルにおける上記中心導体に接続される中心導体接続部を有したシグナル用導電性部材と、
上記同軸ケーブルにおける上記外側導体に接続される外側導体接続部を有したグラウンド用導電性部材と、
上記シグナル用導電性部材と上記グラウンド用導電性部材とを相互絶縁状態をもって支持する絶縁ハウジング部材と、
を備えて構成され、
上記絶縁ハウジング部材の大部分が上記グラウンド用導電性部材によって覆われる状態におかれ、
上記シグナル用導電性部材の中心導体接続部が、上記中心導体を上記絶縁ハウジング部材の内面部に弾性力をもって押し付けて保持する弾性押圧部又は上記中心導体を上記絶縁ハウジング部材内において弾性力をもって挟んで保持する弾性挟持部を形成し、
上記グラウンド用導電性部材の外側導体接続部が、上記中心導体における上記弾性押圧部又は弾性挟持部によって保持された被保持部分が伸びる第１の方向とは異なる第２の方向に伸びるものとされた上記外側導体における被挟持部分を弾性力をもって挟持して上記同軸ケーブルを固定する弾性挟持固定部を形成し、
上記グラウンド用導電性部材に、上記中心導体における上記被保持部分とされる部分が上記第１の方向に沿って上記グラウンド用導電性部材の外部から上記絶縁ハウジング部材内へと通過するとともに、上記外側導体における上記被挟持部分とされる部分が上記グラウンド用導電性部材の外側から内側へと通過する開口部が形成されている、
ことを特徴とする同軸ケーブルコネクタ装置。
【請求項２】
上記シグナル用導電性部材が、上記中心導体接続部に加えて、該中心導体接続部から上記絶縁ハウジング部材の外部へと伸びて外部のシグナル端子部に接続される第１の接続端子部を有し、上記グラウンド用導電性部材が、上記外側導体接続部に加えて、外部のグラウンド端子部に接続される第２の接続端子部を有していることを特徴とする請求項１記載の同軸ケーブルコネクタ装置。
【請求項３】
上記同軸ケーブルにおける上記外側導体の被挟持部分が伸びる上記第２の方向が、上記同軸ケーブルにおける上記中心導体の被保持部分が伸びる上記第１の方向に対して直交することを特徴とする請求項１記載の同軸ケーブルコネクタ装置。
【請求項４】
上記絶縁ハウジング部材が、上記同軸ケーブルにおける上記中心導体の被保持部分と上記外側導体の被挟持部分との間の部分に対応する位置に配された曲面部を有することを特徴とする請求項１記載の同軸ケーブルコネクタ装置。
【請求項５】
上記絶縁ハウジング部材の内面部が、上記曲面部に連なって設けられ、上記同軸ケーブルの中心導体における上記被保持部分を上記シグナル用導電性部材の中心導体接続部とで挟持する平面部を成すことを特徴とする請求項４記載の同軸ケーブルコネクタ装置。
【請求項６】
上記グラウンド用導電性部材及び上記絶縁ハウジング部材の夫々に、上記同軸ケーブルの中心導体における上記被保持部分に対する上記シグナル用導電性部材の中心導体接続部の接続状態についての上記グラウンド用導電性部材の外部からの視認を可能とする窓部が設けられていることを特徴とする請求項１記載の同軸ケーブルコネクタ装置。
【発明の詳細な説明】
【技術分野】
【０００１】
本願の特許請求の範囲に記載された発明は、中心導体とそれを内部絶縁体を介して包囲する外側導体とが表皮絶縁体により被覆されて成る同軸ケーブルの中心導体及び外側導体に夫々接続される、互いに絶縁された一対の導電性部材を備えて成る同軸ケーブルコネクタ装置に関する。
【背景技術】
【０００２】
複数の電気部品，電気装置あるいは電子機器間等における高周波信号の伝送には、外部ノイズの影響を受け難い信号伝送路を形成する、中心導体とそれを内部絶縁体を介して包囲する外側導体とが表皮絶縁体により被覆されて成る同軸ケーブルが用いられることが多い。例えば、同軸ケーブルが高周波信号を扱う回路基板に接続されて、当該回路基板からその外部への同軸ケーブルを通じた高周波信号の伝送、あるいは、当該回路基板への外部からの高周波信号の同軸ケーブルを通じた伝送が行われる。
【０００３】
同軸ケーブルが回路基板に接続される際には、同軸ケーブルの中心導体に接続されるシグナル用導電性部材と同軸ケーブルの外側導体に接続されるグラウンド用導電性部材とを備えた同軸ケーブルコネクタ装置が、同軸ケーブルの端部に装着されるものとされて用いられる。そして、斯かる同軸ケーブルコネクタ装置は、通常、回路基板において扱われる高周波信号が供給される中心シグナルコンタクトと中心シグナルコンタクトを包囲して配されてグラウンド電位が与えられるグラウンドコンタクトとを備えて回路基板に取り付けられた相手方コネクタ装置に連結され、それにより同軸ケーブルコネクタ装置が装着された同軸ケーブルが、同軸ケーブルコネクタ装置及び相手方コネクタ装置を介して、回路基板との接続状態におかれる。斯かる際における同軸ケーブルコネクタ装置の相手方コネクタ装置との連結は、例えば、同軸ケーブルコネクタ装置のグラウンド用導電性部材が相手方コネクタ装置のグラウンドコンタクトに嵌合接続されるもとで、同軸ケーブルコネクタ装置のシグナル用導電性部材が相手方コネクタ装置の中心シグナルコンタクトに接触接続される状態がとられて行われる。
【０００４】
従来、同軸ケーブルコネクタ装置として様々なものが知られているが、それらのうちの一つとして、例えば、同軸ケーブルの端部に装着されるにあたり、同軸ケーブルの中心導体とシグナル用導電性部材との電気的接続及び同軸ケーブルの外側導体とグラウンド用導電性部材との電気的接続についての信頼性を高めることを意図するものとされた同軸ケーブルコネクタ装置が提案されている（例えば、特許文献１参照。）。
【０００５】
特許文献１に開示されている同軸ケーブルコネクタ装置（同軸コネクタ(1))は、導体載置部(21)と導体挟持アーム(22)とから成る中心導体接続部及び中心導体接続部から伸びる一対の接触係合部（接触片(24)）を有したシグナル用導電性部材（内部コンタクト(20)）と、環状嵌合部（嵌合部(33)）とその環状嵌合部から伸びるシェル部（シェルカバー(32)）とを有したグラウンド用導電性部材（外部コンタクト(30)）と、グラウンド用導電性部材の環状嵌合部の内側に配される導電性部材支持部（前方部(10b))及びそれから伸びる絶縁折曲げ部（カバー部(14)）を有してシグナル用導電性部材とグラウンド用導電性部材とを相互に絶縁される状態をもって支持する絶縁ハウジング部材（ハウジング(10)）と、を備えて構成されている。
【０００６】
そして、同軸ケーブルの端部に装着されるにあたっては、シグナル用導電性部材の中心導体接続部が絶縁ハウジング部材の導電性部材支持部によって支持されたもとで、先ず、同軸ケーブル(50)の一端部において剥き出された中心導体（内部導体(51)）が中心導体接続部における導体載置部に載置されるとともに、当該同軸ケーブル(50)の一端部において外側導体（外部導体(53)）も剥き出された状態とされる。続いて、グラウンド用導電性部材のシェル部が、絶縁ハウジング部材の絶縁折曲げ部を伴って絶縁ハウジング部材の導電性部材支持部に向けて屈曲せしめられると、ハウジング部材の絶縁折曲げ部によって中心導体接続部における導体挟持アームが導体載置部に向けて押圧される。それにより、導体載置部に載置された同軸ケーブルの中心導体が導体載置部と導体挟持アームとにより挟持されて、同軸ケーブルの中心導体とシグナル用導電性部材とが信頼性が高められたもとで電気的接続がなされた状態におかれる。
【０００７】
また、このとき、グラウンド用導電性部材のシェル部が、絶縁ハウジング部材の絶縁折曲げ部を伴って絶縁ハウジング部材の導電性部材支持部に向けて屈曲せしめられることにより、シェル部が、剥き出された状態におかれた同軸ケーブル(50)の外側導体に当接する。さらに、その後、シェル部に設けられた圧着片(32b,32c) が、同軸ケーブル(50)の外側導体及び外側導体を被服する外被(54)を挟み付けるように変形せしめられて、同軸ケーブル(50)の外側導体及び外被(54)に圧着せしめられる。それにより、同軸ケーブルの外側導体とグラウンド用導電性部材とが信頼性が高められたもとで電気的接続がなされた状態におかれる。
【０００８】
このようにして、特許文献１に開示されている同軸ケーブルコネクタ装置は、上述のような工程を経たもとで同軸ケーブルの中心導体とシグナル用導電性部材との電気的接続がなされるとともに同軸ケーブルの外側導体とグラウンド用導電性部材との電気的接続がなされて、同軸ケーブルの端部に装着される。                                      
【先行技術文献】
【特許文献】
【０００９】
【特許文献１】特開２０１１−４０２６２号公報
【発明の概要】
【発明が解決しようとする課題】
【００１０】
上述の特許文献１に開示された従来提案されている同軸ケーブルコネクタ装置にあっては、当該同軸ケーブルコネクタ装置を同軸ケーブルの端部に装着するにあたり、同軸ケーブルの中心導体とシグナル用導電性部材との電気的接続及び同軸ケーブルの外側導体とグラウンド用導電性部材との電気的接続をなすべく、同軸ケーブルをその一端部において中心導体及び外側導体の夫々が剥き出された状態にしたもとで、先ず、同軸ケーブルの中心導体を中心導体接続部における導体載置部に載置する第１の作業が要され、次に、グラウンド用導電性部材のシェル部を、絶縁ハウジング部材の絶縁折曲げ部と共に、絶縁ハウジング部材の導電性部材支持部に向けて屈曲させる第２の作業が要され、さらに、屈曲せしめられたシェル部に設けられた圧着片を、同軸ケーブルの外側導体及び外側導体を被服する外被を挟み付けるように変形させて、同軸ケーブルの外側導体及び外被に圧着させる第３の作業が要される。これらの第１，第２及び第３の作業は、夫々が同軸ケーブルコネクタ装置の使用者にとって煩わしいものとなる。
【００１１】
即ち、特許文献１に開示された従来提案されている同軸ケーブルコネクタ装置においては、それを実用に供するべく、同軸ケーブルの端部に装着するに際して、同軸ケーブルの中心導体とシグナル用導電性部材との電気的接続及び同軸ケーブルの外側導体とグラウンド用導電性部材との電気的接続をなすための、一連の煩わしい作業が要されるという不都合があることになる。そこで、斯かる煩わしい作業を要することなく、同軸ケーブルの端部に装着することができる同軸ケーブルコネクタ装置が望まれている。
【００１２】
斯かる点に鑑み、本願の特許請求の範囲に記載された発明は、同軸ケーブルの中心導体に接続されるシグナル用導電性部材と、同軸ケーブルの外側導体に接続されるグラウンド用導電性部材と、シグナル用導電性部材とグラウンド用導電性部材とを相互絶縁状態をもって支持する絶縁ハウジング部材とを備えて構成され、同軸ケーブルの中心導体とシグナル用導電性部材との電気的接続及び同軸ケーブルの外側導体とグラウンド用導電性部材との電気的接続がなされる同軸ケーブルの端部への装着を、簡単で容易な作業をもって行うことができる同軸ケーブルコネクタ装置を提供する。
【課題を解決するための手段】
【００１３】
本願の特許請求の範囲における請求項１から請求項６までのいずれかに記載された発明（以下、本願発明という。）に係る同軸ケーブルコネクタ装置は、中心導体及びそれを包囲する外側導体を有した同軸ケーブルの中心導体に接続される中心導体接続部を有したシグナル用導電性部材と、同軸ケーブルの外側導体に接続される外側導体接続部を有したグラウンド用導電性部材と、シグナル用導電性部材とグラウンド用導電性部材とを相互絶縁状態をもって支持する絶縁ハウジング部材とを備えて構成され、絶縁ハウジング部材の大部分がグラウンド用導電性部材によって覆われる状態におかれ、シグナル用導電性部材の中心導体接続部が、同軸ケーブルの中心導体を対向する絶縁ハウジング部材の内面部に弾性力をもって押し付けて保持する弾性押圧部又は同軸ケーブルの中心導体を絶縁ハウジング部材内において弾性力をもって挟んで保持する弾性挟持部を形成し、グラウンド用導電性部材の外側導体接続部が、同軸ケーブルの中心導体における弾性押圧部又は弾性挟持部によって保持された被保持部分が伸びる第１の方向とは異なる第２の方向に伸びるものとされた同軸ケーブルの外側導体における被挟持部分を弾性力をもって挟持して同軸ケーブルを固定する弾性挟持固定部を形成し、さらに、グラウンド用導電性部材に、同軸ケーブルの中心導体における被保持部分とされる部分が第１の方向に沿ってグラウンド用導電性部材の外部から絶縁ハウジング部材内へと通過するとともに、同軸ケーブルの外側導体における被挟持部分とされる部分がグラウンド用導電性部材の外側から内側へと通過する開口部が形成されているものとされる。
【００１４】
本願発明のうちの特許請求の範囲における請求項３に記載された発明に係る同軸ケーブルコネクタ装置にあっては、同軸ケーブルの外側導体における被挟持部分が伸びる第２の方向が、同軸ケーブルの中心導体における被保持部分が伸びる第１の方向に対して直交するものとされる。
【００１５】
上述の本願発明に係る同軸ケーブルコネクタ装置にあっては、同軸ケーブルの端部に装着されて実用に供される際には、シグナル用導電性部材の中心導体接続部が形成する弾性押圧部が、同軸ケーブルの中心導体を対向する絶縁ハウジング部材の内面部に弾性力をもって押し付けて保持する状態、又は、シグナル用導電性部材の中心導体接続部が形成する弾性挟持部が、同軸ケーブルの中心導体を絶縁ハウジング部材内において弾性力をもって保持する状態がとられて、同軸ケーブルの中心導体とシグナル用導電性部材との電気的接続がなされ、また、グラウンド用導電性部材の外側導体接続部が形成する弾性挟持固定部が、同軸ケーブルの中心導体における弾性押圧部又は弾性挟持部によって保持された被保持部分が伸びる第１の方向とは異なる第２の方向に伸びるものとされた同軸ケーブルの外側導体における被挟持部分を、弾性力をもって挟持して同軸ケーブルを固定する状態がとられて、同軸ケーブルの外側導体とグラウンド用導電性部材との電気的接続がなされる。このとき、上述の第１の方向と第２の方向とは、例えば、本願発明のうちの特許請求の範囲における請求項３に記載された発明に係る同軸ケーブルコネクタ装置におけるように、第２の方向が第１の方向に対して直交するものとされる。
【００１６】
そして、このようなシグナル用導電性部材の中心導体接続部が形成する弾性押圧部が、同軸ケーブルの中心導体を絶縁ハウジング部材の内面部に弾性力をもって押し付けて保持する状態、又は、シグナル用導電性部材の中心導体接続部が形成する弾性挟持部が、同軸ケーブルの中心導体を絶縁ハウジング部材内において弾性力をもって保持する状態は、同軸ケーブルの端部をグラウンド用導電性部材に形成された開口部を通じて絶縁ハウジング部材内に挿入し、同軸ケーブルの端部において露出せしめられた中心導体における被保持部分とされる部分を、グラウンド用導電性部材に形成された開口部を第１の方向に沿ってグラウンド用導電性部材の外部から絶縁ハウジング部材内へと通過させて、シグナル用導電性部材における弾性押圧部とそれに対向する絶縁ハウジング部材の内面部との間、又は、シグナル用導電性部材における弾性挟持部に差し込むことによってとられる。
【００１７】
また、グラウンド用導電性部材の外側導体接続部が形成する弾性挟持固定部が、シグナル用導電性部材における弾性押圧部又は弾性挟持部によって保持された同軸ケーブルの中心導体における被保持部分が伸びる第１の方向とは異なる第２の方向に伸びるものとされた同軸ケーブルの外側導体における被挟持部分を弾性力をもって挟持して、同軸ケーブルを固定する状態は、同軸ケーブルの中心導体における被保持部分がシグナル用導電性部材における弾性押圧部又は弾性挟持部によって保持されたもとで、同軸ケーブルを、その端部において露出する外側導体における被挟持部分とされる部分を第２の方向に伸びるものとすべく屈曲させて、グラウンド用導電性部材に形成された開口部をグラウンド用導電性部材の外側から内側へと通過させ、グラウンド用導電性部材における弾性挟持固定部に挟持係合させることによってとられる。斯かる際における同軸ケーブルの屈曲は、例えば、第２の方向が第１の方向に対して直交するものとなるように行われる。
【００１８】
これよりして、本願発明に係る同軸ケーブルコネクタ装置にあっては、同軸ケーブルの端部に装着されるにあたり、端部において中心導体及び外側導体が露出せしめられた同軸ケーブルの中心導体の被保持部分とされる部分を、グラウンド用導電性部材に形成された開口部を第１の方向に沿ってグラウンド用導電性部材の外部から絶縁ハウジング部材内へと通過させて、シグナル用導電性部材における弾性押圧部とそれに対向する絶縁ハウジング部材の内面部との間、又は、シグナル用導電性部材における弾性挟持部に差し込み、その後、同軸ケーブルを屈曲させてその端部における外側導体の被挟持部分とされる部分をグラウンド用導電性部材に形成された開口部を通じてグラウンド用導電性部材における弾性挟持固定部に挟持係合させることによって、同軸ケーブルの中心導体とシグナル用導電性部材との電気的接続及び同軸ケーブルの外側導体とグラウンド用導電性部材との電気的接続とが得られることになる。斯かる際における、同軸ケーブルの中心導体の被保持部分とされる部分を、グラウンド用導電性部材に形成された開口部を第１の方向に沿ってグラウンド用導電性部材の外部から絶縁ハウジング部材内へと通過させて、シグナル用導電性部材における弾性押圧部とそれに対向する絶縁ハウジング部材の内面部との間、又は、シグナル用導電性部材における弾性挟持部に差し込む作業、及び、同軸ケーブルを屈曲させてその端部における外側導体の被挟持部分とされる部分をグラウンド用導電性部材に形成された開口部を通じてグラウンド用導電性部材における弾性挟持固定部に挟持係合させる作業は、いずれも簡単で容易な作業である。
【発明の効果】
【００１９】
上述の本願発明に係る同軸ケーブルコネクタ装置を同軸ケーブルの端部に装着するにあたっては、同軸ケーブルの中心導体とシグナル用導電性部材との電気的接続及び同軸ケーブルの外側導体とグラウンド用導電性部材との電気的接続を、端部において中心導体及び外側導体が露出せしめられた同軸ケーブルの中心導体における被保持部分とされる部分を、シグナル用導電性部材における弾性押圧部とそれに対向する絶縁ハウジング部材の内面部との間又はシグナル用導電性部材における弾性挟持部に差し込み、その後、同軸ケーブルを屈曲させてその端部における外側導体の被挟持部分とされる部分を、グラウンド用導電性部材に形成された開口部を通じてグラウンド用導電性部材における弾性挟持固定部に挟持係合させる、という簡単で容易な二段階の作業によって成すことができる。即ち、本願発明に係る同軸ケーブルコネクタ装置によれば、同軸ケーブルの中心導体に接続されるシグナル用導電性部材と、同軸ケーブルの外側導体に接続されるグラウンド用導電性部材と、シグナル用導電性部材とグラウンド用導電性部材とを相互絶縁状態をもって支持する絶縁ハウジング部材とを備えた構成のもとで、同軸ケーブルの中心導体とシグナル用導電性部材との電気的接続及び同軸ケーブルの外側導体とグラウンド用導電性部材との電気的接続がなされる同軸ケーブルの端部への装着を、従来提案されている同軸ケーブルコネクタ装置において要される一連の煩わしい作業が要されることなく、簡単で容易な作業をもって行うことができることになる。
【図面の簡単な説明】
【００２０】
【図１】本願発明に係る同軸ケーブルコネクタ装置の第１の例を分解して示す分解斜視図である。
【図２】本願発明に係る同軸ケーブルコネクタ装置の第１の例を示す斜視図である。
【図３】本願発明に係る同軸ケーブルコネクタ装置の第１の例を示す側面図である。
【図４】図３におけるIV−IV線断面を示す断面図である。
【図５】本願発明に係る同軸ケーブルコネクタ装置の第１の例の絶縁ハウジング部材に同軸ケーブルの端部が挿入された状態を示す側面図である。
【図６】図５におけるVI−VI線断面を示す断面図である。
【図７】本願発明に係る同軸ケーブルコネクタ装置の第１の例の絶縁ハウジング部材に挿入された同軸ケーブルの端部が屈曲途中におかれた状態を示す側面図である。
【図８】図７におけるVIII−VIII線断面を示す断面図である。
【図９】本願発明に係る同軸ケーブルコネクタ装置の第１の例の絶縁ハウジング部材に挿入された同軸ケーブルの端部の屈曲が完了した状態を示す側面図である。
【図１０】図９における X−X 線断面を示す断面図である。
【図１１】本願発明に係る同軸ケーブルコネクタ装置の第２の例を分解して示す分解斜視図である。
【図１２】本願発明に係る同軸ケーブルコネクタ装置の第２の例を示す正面図である。
【図１３】本願発明に係る同軸ケーブルコネクタ装置の第２の例を示す側面図である。
【図１４】図１３における XIV−X1V 線断面を示す断面図である。
【図１５】本願発明に係る同軸ケーブルコネクタ装置の第２の例の絶縁ハウジング部材に同軸ケーブルの端部が挿入された状態を示す側面図である。
【図１６】図１５における XVI−XVI 線断面を示す断面図である。
【図１７】本願発明に係る同軸ケーブルコネクタ装置の第２の例の絶縁ハウジング部材に同軸ケーブルの端部が挿入された状態を示す正面図である。
【図１８】図１７における XVIII−XVIII 線断面を示す断面図である。
【図１９】本願発明に係る同軸ケーブルコネクタ装置の第２の例の絶縁ハウジング部材に挿入された同軸ケーブルの端部の屈曲が完了した状態を示す側面図である。
【図２０】図１９におけるXX−XX線断面を示す断面図である。
【発明を実施するための形態】
【００２１】
本願発明を実施するための形態は、以下に述べられる本願発明についての実施例１及び実施例２をもって説明される。
【実施例１】
【００２２】
図１は、本願発明に係る同軸ケーブルコネクタ装置の第１の例を分解して示す。図１に示される本願発明に係る同軸ケーブルコネクタ装置の第１の例を成す同軸ケーブルコネクタ装置１０は、実際の使用にあたっては、同軸ケーブルの端部に装着される。
【００２３】
同軸ケーブルコネクタ装置１０は、主要構成要素として、合成樹脂材等の絶縁材料により形成されて、例えば、回路基板上に配される絶縁ハウジング部材１１と、弾性導電性材料により形成され、絶縁ハウジング部材１１に配される状態をとるシグナル用導電性部材１２と、例えば、金属板材料により形成され、絶縁ハウジング部材１１にシグナル用導電性部材１２から絶縁されて装着されて、当該絶縁ハウジング部材１１の大部分を覆う状態をとるグラウンド用導電性部材１３とを備えている。絶縁ハウジング部材１１は、その大部分がグラウンド用導電性部材１３によって覆われるもとで、シグナル用導電性部材１２とグラウンド用導電性部材１３とを相互絶縁状態をもって支持する役割を果たす。また、絶縁ハウジング部材１１には、中心導体及び該中心導体を包囲する外側導体を有した同軸ケーブルの端部が外部から挿入されることになる開口部１４と、絶縁ハウジング部材１１の内部についての外部からの視認を可能とする窓部１５とが形成されている。
【００２４】
シグナル用導電性部材１２は、絶縁ハウジング部材１１に配されたもとで、弾性を具えたものとされて同軸ケーブルにおける中心導体に接続される中心導体接続部１６と、中心導体接続部１６から絶縁ハウジング部材１１の外部へと伸びて、例えば、絶縁ハウジング部材１１が配された回路基板におけるシグナル端子部とされる外部のシグナル端子部に接続される接続端子部１７とを有している。グラウンド用導電性部材１３は、絶縁ハウジング部材１１の大部分を覆うものとされたもとで、同軸ケーブルにおける外側導体に接続される外側導体接続部１８と、例えば、絶縁ハウジング部材１１が配された回路基板におけるグラウンド端子部とされる外部のグラウンド端子部に接続される接続端子部１９とを有している。また、グラウンド用導電性部材１３には、同軸ケーブルの端部が外部から挿入されることになる開口部２０と、絶縁ハウジング部材１１の内部についての外部からの視認を可能とする窓部２1 とが形成されている。
【００２５】
図２（斜視図）及び図３（側面図）は、図１に示される主要構成要素が組み立てられて得られた同軸ケーブルコネクタ装置１０を示す。図１に示される主要構成要素が組み立てられる際には、シグナル用導電性部材１２が、図１における矢印ａに示される方向をもって絶縁ハウジング部材１１に組み付けられ、また、グラウンド用導電性部材１３が、図１における矢印ｂに示される方向をもって絶縁ハウジング部材１１に組み付けられる。グラウンド用導電性部材１３が有する外側導体接続部１８は、一対の相互対向する弾性片部を備えており、これらの弾性片部により同軸ケーブルの外側導体における被挟持部分を弾性力をもって挟持して同軸ケーブルを固定する弾性挟持固定部を形成している。
【００２６】
斯かる同軸ケーブルコネクタ装置１０にあっては、絶縁ハウジング部材１１に装着されたグラウンド用導電性部材１３に形成された開口部２０が絶縁ハウジング部材１１に形成された開口部１４に対応する位置をとるものとされており、それにより、同軸ケーブルの端部を、グラウンド用導電性部材１３の外部から、グラウンド用導電性部材１３における開口部２０と絶縁ハウジング部材１１における開口部１４とを通じて、シグナル用導電性部材１２の中心導体接続部１６が配された絶縁ハウジング部材１１の内部に挿入することができることになる。また、絶縁ハウジング部材１１に装着されたグラウンド用導電性部材１３に形成された窓部２１が絶縁ハウジング部材１１に形成された窓部１５に対応する位置をとるものとされており、それにより、絶縁ハウジング部材１１の内部を、グラウンド用導電性部材１３の外部から、グラウンド用導電性部材１３における窓部２１と絶縁ハウジング部材１１における窓部１５とを通じて視認することができることになる。
【００２７】
図３におけるIV−IV線断面を示す図４に示されるように、絶縁ハウジング部材１１は、その内面部の一部が、曲面部２５及び平面部２６を成すものとされている。そして、平面部２６は、曲面部２５に連なって設けられていて、絶縁ハウジング部材１１の内部に配されたシグナル用導電性部材１２の中心導体接続部１６に、狭隙を挟んで対向している。絶縁ハウジング部材１１の内面部における平面部２６とシグナル用導電性部材１２の中心導体接続部１６との間に形成される狭隙には、グラウンド用導電性部材１３の外部からグラウンド用導電性部材１３における開口部２０と絶縁ハウジング部材１１における開口部１４とを通じて絶縁ハウジング部材１１の内部に挿入された同軸ケーブルの端部における中心導体が差し込まれる。斯かるもとで、シグナル用導電性部材１２の中心導体接続部１６は、同軸ケーブルの中心導体を、絶縁ハウジング部材１１の内面部における平面部２６に弾性力をもって押し付けて保持する弾性押圧部を形成している。それにより、絶縁ハウジング部材１１の内面部における平面部２６は、同軸ケーブルの端部における中心導体をシグナル用導電性部材１２の中心導体接続部１６とで挟持するものとされていることになる。
【００２８】
図５及び図５におけるVI−VI線断面を示す図６は、同軸ケーブルコネクタ装置１０の絶縁ハウジング部材１１に同軸ケーブル３０の端部が挿入された状態を示す。同軸ケーブル３０は、中心導体３１が内部誘電体３２によって包囲され、内部誘電体３２が外部導体３３によって包囲され、外部導体３３が外皮絶縁体３４によって覆われて構成されている。そして、同軸ケーブル３０の端部は、外部導体３３，内部誘電体３２及び中心導体３１が、順次段を成して露出するものとされている。
【００２９】
このように外部導体３３，内部誘電体３２及び中心導体３１が、順次段を成して露出するものとされた同軸ケーブル３０の端部が、グラウンド用導電性部材１３の外部から、グラウンド用導電性部材１３における開口部２０と絶縁ハウジング部材１１における開口部１４とを通じて、シグナル用導電性部材１２の中心導体接続部１６が配された絶縁ハウジング部材１１の内部に挿入されると、当該端部において露出した中心導体３１が、絶縁ハウジング部材１１の内面部における平面部２６とシグナル用導電性部材１２の中心導体接続部１６との間に形成される狭隙に差し込まれて、シグナル用導電性部材１２の中心導体接続部１６と絶縁ハウジング部材１１の内面部における平面部２６とによって挟持される状態がとられる。それにより、同軸ケーブル３０の端部における中心導体３１が、シグナル用導電性部材１２の中心導体接続部１６が形成する弾性押圧部によって保持された被保持部分を、同軸ケーブル３０の端部の絶縁ハウジング部材１１の内部への挿入方向とされる第１の方向に沿って伸びるものとして有することになる。
【００３０】
このようにして、同軸ケーブル３０の中心導体３１における被保持部分がシグナル用導電性部材１２の中心導体接続部１６が形成する弾性押圧部によって保持された状態とされることにより、同軸ケーブル３０の中心導体３１とシグナル用導電性部材１２との電気的接続がなされ、同軸ケーブル３０の中心導体３１が、シグナル用導電性部材１２を通じて、例えば、絶縁ハウジング部材１１が配された回路基板におけるシグナル端子部とされる外部のシグナル端子部に、電気的に接続される。斯かる際、同軸ケーブル３０の中心導体３１における被保持部分がシグナル用導電性部材１２の中心導体接続部１６が形成する弾性押圧部によって保持された状態は、同軸ケーブル３０の端部を、同軸ケーブルコネクタ装置１０のグラウンド用導電性部材１３の外部から、グラウンド用導電性部材１３における開口部２０と絶縁ハウジング部材１１における開口部１４とを通じて、シグナル用導電性部材１２の中心導体接続部１６が配された絶縁ハウジング部材１１の内部へと挿入して、同軸ケーブル３０の端部において露出する中心導体３１における被保持部分とされる部分を、グラウンド用導電性部材１３における開口部２０と絶縁ハウジング部材１１における開口部１４とを第１の方向に沿ってグラウンド用導電性部材１３の外部から絶縁ハウジング部材１１の内部へと通過させて、シグナル用導電性部材１２の中心導体接続部１６と絶縁ハウジング部材１１の内面部における平面部２６との間に形成される狭隙に差し込むことにより得られる。
【００３１】
その後、図７及び図７におけるVIII−VIII線断面を示す図８に示されるように、中心導体３１における被保持部分がシグナル用導電性部材１２の中心導体接続部１６が形成する弾性押圧部によって保持された同軸ケーブル３０は、その端部における中心導体３１が絶縁ハウジング部材１１の内面部における曲面部２５に沿うものとなるように、グラウンド用導電性部材１３における外側導体接続部１８側へと屈曲せしめられ、グラウンド用導電性部材１３における開口部２０と絶縁ハウジング部材１１における開口部１４とを、グラウンド用導電性部材１３の外側から内側へと通過するものとされる。そして、最終的には、図９及び図９における X−X 線断面を示す図１０に示されるように、同軸ケーブル３０の端部において露出する外側導体３３が、第１の方向とは異なる、例えば、第１の方向に直交する第２の方向に沿って伸びるものとされて、グラウンド用導電性部材１３における外側導体接続部１８が形成する弾性挟持固定部によって挟持され、それにより、同軸ケーブル３０が固定される状態がとられる。それにより、同軸ケーブル３０の端部における外側導体３３が、グラウンド用導電性部材１３における外側導体接続部１８が形成する弾性挟持固定部によって挟持された被挟持部分を、第１の方向とは異なる、例えば、第１の方向に直交する第２の方向に沿って伸びるものとして有することになる。
【００３２】
このようにして、同軸ケーブル３０の外側導体３３における被挟持部分がグラウンド用導電性部材１３における外側導体接続部１８が形成する弾性挟持固定部によって挟持された状態とされることにより、同軸ケーブル３０の外側導体３３とグラウンド用導電性部材１３との電気的接続がなされ、同軸ケーブル３０の外側導体３３が、グラウンド用導電性部材１３を通じて、例えば、絶縁ハウジング部材１１が配された回路基板におけるグラウンド端子部とされる外部のグラウンド端子部に、電気的に接続される。斯かる際、同軸ケーブル３０の外側導体３３における被挟持部分がグラウンド用導電性部材１３の外側導体接続部１８が形成する弾性挟持固定部によって挟持された状態は、中心導体３１における被保持部分がシグナル用導電性部材１２の中心導体接続部１６が形成する弾性押圧部によって保持された同軸ケーブル３０の端部を、その端部における中心導体３１が絶縁ハウジング部材１１の内面部における曲面部２５に沿うものとなるように、グラウンド用導電性部材１３における外側導体接続部１８側へと屈曲させ、当該端部における外側導体３３における被挟持部分を、グラウンド用導電性部材１３における開口部２０と絶縁ハウジング部材１１における開口部１４とをグラウンド用導電性部材１３の外側から内側へと通過させて、グラウンド用導電性部材１３における外側導体接続部１８が形成する弾性挟持固定部に挟持係合させることにより得られる。その際、絶縁ハウジング部材１１の内面部における曲面部２５は、同軸ケーブル３０における中心導体３１の被保持部分と外側導体３３の被挟持部分との間に部分に対応する位置に配されたものとされる。
【００３３】
上述のようにして、グラウンド用導電性部材１３における外側導体接続部１８が形成する弾性挟持固定部によって同軸ケーブル３０が固定されたもとで、同軸ケーブル３０の中心導体３１における被保持部分がシグナル用導電性部材１２の中心導体接続部１６により形成された弾性押圧部によって保持された絶縁ハウジング部材１１の内部は、グラウンド用導電性部材１３の外部から、グラウンド用導電性部材１３における窓部２１と絶縁ハウジング部材１１における窓部１５とを通じて視認することができる。
【００３４】
以上よりして、同軸ケーブルコネクタ装置１０を同軸ケーブル３０の端部に装着するにあたっては、同軸ケーブル３０の中心導体３１とシグナル用導電性部材１２との電気的接続及び同軸ケーブル３０の外側導体３３とグラウンド用導電性部材１３との電気的接続を、端部において中心導体３１及び外側導体３３が露出せしめられた同軸ケーブル３０の中心導体３１における被保持部分とされる部分を、シグナル用導電性部材１２における中心導体接続部１６が形成する弾性押圧部とそれに対向する絶縁ハウジング部材１１の内面部との間に差し込み、その後、同軸ケーブル３０を屈曲させてその端部における外側導体３３の被挟持部分とされる部分を、グラウンド用導電性部材１３に形成された開口部２０及び絶縁ハウジング部材１１に形成された開口部１４を通じてグラウンド用導電性部材１３における外側導体接続部１８が形成する弾性挟持固定部に挟持係合させる、という簡単で容易な二段階の作業によって成すことができる。即ち、同軸ケーブルコネクタ装置１０によれば、同軸ケーブル３０の中心導体３１に接続されるシグナル用導電性部材１２と、同軸ケーブル３０の外側導体３３に接続されるグラウンド用導電性部材１３と、シグナル用導電性部材１２とグラウンド用導電性部材１３とを相互絶縁状態をもって支持する絶縁ハウジング部材１１とを備えた構成のもとで、同軸ケーブル３０の中心導体３１とシグナル用導電性部材１２との電気的接続及び同軸ケーブル３０の外側導体３３とグラウンド用導電性部材１３との電気的接続がなされる同軸ケーブル３０の端部への装着を、従来提案されている同軸ケーブルコネクタ装置において要される一連の煩わしい作業が要されることなく、簡単で容易な作業をもって行うことができることになる。
【実施例２】
【００３５】
図１１は、本願発明に係る同軸ケーブルコネクタ装置の第２の例を分解して示す。図１１に示される本願発明に係る同軸ケーブルコネクタ装置の第２の例を成す同軸ケーブルコネクタ装置４０も、実際の使用にあたっては、同軸ケーブルの端部に装着される。
【００３６】
同軸ケーブルコネクタ装置４０は、主要構成要素として、合成樹脂材等の絶縁材料により形成されて、例えば、回路基板上に配される絶縁ハウジング部材４１と、弾性導電性材料により形成され、絶縁ハウジング部材４１に配される状態をとるシグナル用導電性部材４２と、例えば、金属板材料により形成され、絶縁ハウジング部材４１にシグナル用導電性部材４２から絶縁されて装着されて、当該絶縁ハウジング部材４１の大部分を覆う状態をとるグラウンド用導電性部材４３とを備えている。絶縁ハウジング部材４１は、その大部分がグラウンド用導電性部材４３によって覆われるもとで、シグナル用導電性部材４２とグラウンド用導電性部材４３とを相互絶縁状態をもって支持する役割を果たす。また、絶縁ハウジング部材４１には、シグナル用導電性部材４２が外部から挿入され、さらには、中心導体及び該中心導体を包囲する外側導体を有した同軸ケーブルの端部が外部から挿入されることになる開口部４４と、絶縁ハウジング部材４１の内部についての外部からの視認を可能とする窓部４５とが形成されている。
【００３７】
シグナル用導電性部材４２は、絶縁ハウジング部材４１に配されたもとで、弾性を具えたものとされて同軸ケーブルにおける中心導体に接続される中心導体接続部４６と、中心導体接続部４６から絶縁ハウジング部材４１の外部へと伸び、例えば、絶縁ハウジング部材４１が配された回路基板におけるシグナル端子部とされる外部のシグナル端子部に接続される接続端子部４７とを有している。シグナル用導電性部材４２における中心導体接続部４６は、一対の相互対向する弾性片部を備えており、これらの弾性片部により同軸ケーブルの中心導体を弾性力をもって挟んで保持する弾性挟持部を形成している。グラウンド用導電性部材４３は、絶縁ハウジング部材４１の大部分を覆うものとされたもとで、同軸ケーブルにおける外側導体に接続される外側導体接続部４８と、例えば、絶縁ハウジング部材４１が配された回路基板におけるグラウンド端子部とされる外部のグラウンド端子部に接続される接続端子部４９とを有している。また、グラウンド用導電性部材４３には、同軸ケーブルの端部が外部から挿入されることになる開口部５０が形成されている。
【００３８】
図１２（正面図）及び図１３（側面図）は、図１１に示される主要構成要素が組み立てられて得られた同軸ケーブルコネクタ装置４０を示す。図１１に示される主要構成要素が組み立てられる際には、シグナル用導電性部材４２が、図１１における矢印ｃに示される方向をもって絶縁ハウジング部材４１に組み付けられ、また、グラウンド用導電性部材４３が、図１１における矢印ｄに示される方向をもって絶縁ハウジング部材４１に組み付けられる。グラウンド用導電性部材４３が有する外側導体接続部４８は、一対の相互対向する弾性片部を備えており、これらの弾性片部により同軸ケーブルの外側導体を弾性力をもって挟持して同軸ケーブルを固定する弾性挟持固定部を形成している。また、グラウンド用導電性部材４３における弾性挟持固定部を形成する外側導体接続部４８が備える一対の弾性片に挟まれた間隙における絶縁ハウジング部材４１に形成された窓部４５に対応することになる部分は、グラウンド用導電性部材４３の内部についての外部からの視認を可能とする窓部５１を形成している。なお、絶縁ハウジング部材４１の内部から外部に突出したシグナル用導電性部材４２の接続端子部４７は、図１１に示される状態から折り曲げられた状態に移行したものとされている。
【００３９】
斯かる同軸ケーブルコネクタ装置４０にあっては、絶縁ハウジング部材４１に装着されたグラウンド用導電性部材４３に形成された開口部５０が絶縁ハウジング部材４１に形成された開口部４４に対応する位置をとるものとされており、それにより、同軸ケーブルの端部を、グラウンド用導電性部材４３の外部から、グラウンド用導電性部材４３における開口部５０と絶縁ハウジング部材４１における開口部４４とを通じて、シグナル用導電性部材４２の中心導体接続部４６が配された絶縁ハウジング部材４１の内部に挿入することができることになる。また、絶縁ハウジング部材４１に装着されたグラウンド用導電性部材４３における窓部５１が絶縁ハウジング部材４１に形成された窓部４５に対応する位置をとるものとされており、それにより、シグナル用導電性部材４２の中心導体接続部４６が配された絶縁ハウジング部材４１の内部を、グラウンド用導電性部材４３の外部から、グラウンド用導電性部材４３における窓部５１と絶縁ハウジング部材４１における窓部４５とを通じて視認することができることになる。
【００４０】
図１３における XIV−XIV 線断面を示す図１４に示されるように、絶縁ハウジング部材４１にあっては、その内面部の一部が曲面部５２を成すものとされており、窓部４５は、曲面部５２が設けられた部分に連なる部分を貫通するものとして形成されている。また、絶縁ハウジング部材４１の内部に配されたシグナル用導電性部材４２の中心導体接続部４６は、それが弾性挟持部を形成するものとして備える一対の相互対向する弾性片部間に形成される狭隙に、グラウンド用導電性部材４３の外部からグラウンド用導電性部材４３における開口部５０と絶縁ハウジング部材４１における開口部４４とを通じて絶縁ハウジング部材４１の内部に挿入された同軸ケーブルの端部における中心導体が差し込まれる状態におかれる。
【００４１】
図１５，図１５における XVI−XVI 線断面を示す図１６，図１７、及び、図１７における XVIII−XVIII 線断面を示す図１８は、同軸ケーブルコネクタ装置４０の絶縁ハウジング部材４１に同軸ケーブル３０の端部が挿入された状態を示す。同軸ケーブル３０は、前述のように、中心導体３１が内部誘電体３２によって包囲され、内部誘電体３２が外部導体３３によって包囲され、外部導体３３が外皮絶縁体３４によって覆われて構成されている。そして、同軸ケーブル３０の端部は、外部導体３３，内部誘電体３２及び中心導体３１が、順次段を成して露出するものとされている。
【００４２】
このように外部導体３３，内部誘電体３２及び中心導体３１が、順次段を成して露出するものとされた同軸ケーブル３０の端部が、グラウンド用導電性部材４３の外部から、グラウンド用導電性部材４３における開口部５０と絶縁ハウジング部材４１における開口部４４とを通じて、シグナル用導電性部材４２の中心導体接続部４６が配された絶縁ハウジング部材４１の内部に挿入されると、図１８に示されるように、当該端部において露出した中心導体３１が、シグナル用導電性部材４２の中心導体接続部４６が弾性挟持部を形成するものとして備える一対の相互対向する弾性片部間に形成される狭隙に差し込まれて、シグナル用導電性部材４２の中心導体接続部４６が形成する弾性挟持部により挟まれて保持される状態がとられる。それにより、同軸ケーブル３０の端部における中心導体３１が、シグナル用導電性部材４２の中心導体接続部４６が形成する弾性挟持部により挟まれて保持された被保持部分を、同軸ケーブル３０の端部の絶縁ハウジング部材４１の内部への挿入方向とされる第１の方向に沿って伸びるものとして有することになる。
【００４３】
このようにして、同軸ケーブル３０の中心導体３１における被保持部分がシグナル用導電性部材４２の中心導体接続部４６が形成する弾性挟持部により挟まれて保持された状態とされることにより、同軸ケーブル３０の中心導体３１とシグナル用導電性部材４２との電気的接続がなされ、同軸ケーブル３０の中心導体３１が、シグナル用導電性部材４２を通じて、例えば、絶縁ハウジング部材４１が配された回路基板におけるシグナル端子部とされる外部のシグナル端子部に、電気的に接続される。斯かる際、同軸ケーブル３０の中心導体３１における被保持部分がシグナル用導電性部材４２の中心導体接続部４６が形成する弾性挟持部により挟まれて保持された状態は、同軸ケーブル３０の端部を、同軸ケーブルコネクタ装置４０のグラウンド用導電性部材４３の外部から、グラウンド用導電性部材４３における開口部５０と絶縁ハウジング部材４１における開口部４４とを通じて、シグナル用導電性部材４２の中心導体接続部４６が配された絶縁ハウジング部材４１の内部へと挿入して、同軸ケーブル３０の端部において露出する中心導体３１における被保持部分とされる部分を、グラウンド用導電性部材４３における開口部５０と絶縁ハウジング部材４１における開口部４４とを第１の方向に沿ってグラウンド用導電性部材４３の外部から絶縁ハウジング部材４１の内部へと通過させて、シグナル用導電性部材４２の中心導体接続部４６が弾性挟持部を形成するものとして備える一対の相互対向する弾性片部間に形成される狭隙に差し込むことにより得られる。
【００４４】
その後、図１９及び図１９におけるXX−XX線断面を示す図２０に示されるように、中心導体３１における被保持部分がシグナル用導電性部材４２の中心導体接続部４６が形成する弾性挟持部により挟まれて保持された同軸ケーブル３０は、その端部における中心導体３１が絶縁ハウジング部材４１の内面部における曲面部５２に沿うものとなるように、グラウンド用導電性部材４３における外側導体接続部４８側へと屈曲せしめられ、グラウンド用導電性部材４３における開口部５０と絶縁ハウジング部材４１における開口部４４とを、グラウンド用導電性部材４３の外側から内側へと通過するものとされる。そして、最終的には、同軸ケーブル３０の端部において露出する外側導体３３が、第１の方向とは異なる、例えば、第１の方向に直交する第２の方向に沿って伸びるものとされて、グラウンド用導電性部材４３における外側導体接続部４８が形成する弾性挟持固定部によって挟持され、それにより、同軸ケーブル３０が固定される状態がとられる。それにより、同軸ケーブル３０の端部における外側導体３１が、グラウンド用導電性部材４３における外側導体接続部４８が形成する弾性挟持固定部によって挟持された被挟持部分を、第１の方向とは異なる、例えば、第１の方向に直交する第２の方向に沿って伸びるものとして有することになる。
【００４５】
このようにして、同軸ケーブル３０の外側導体３３における被挟持部分がグラウンド用導電性部材４３における外側導体接続部４８が形成する弾性挟持固定部によって挟持された状態とされることにより、同軸ケーブル３０の外側導体３３とグラウンド用導電性部材４３との電気的接続がなされ、同軸ケーブル３０の外側導体３３が、グラウンド用導電性部材４３を通じて、例えば、絶縁ハウジング部材４１が配された回路基板におけるグラウンド端子部とされる外部のグラウンド端子部に、電気的に接続される。斯かる際、同軸ケーブル３０の外側導体３３における被挟持部分がグラウンド用導電性部材４３の外側導体接続部４８が形成する弾性挟持固定部によって挟持された状態は、中心導体３１における被保持部分がシグナル用導電性部材４２の中心導体接続部４６が形成する弾性挟持部により挟まれて保持された同軸ケーブル３０の端部を、その端部における中心導体３１が絶縁ハウジング部材４１の内面部における曲面部５２に沿うものとなるように、グラウンド用導電性部材４３における外側導体接続部４８側へと屈曲させ、当該端部における外側導体３３における被挟持部分を、グラウンド用導電性部材４３における開口部５０と絶縁ハウジング部材４１における開口部４４とをグラウンド用導電性部材４３の外側から内側へと通過させて、グラウンド用導電性部材４３における外側導体接続部４８が形成する弾性挟持固定部に挟持係合させることにより得られる。その際、絶縁ハウジング部材４１の内面部における曲面部５２は、同軸ケーブル３０における中心導体３１の被保持部分と外側導体３３の被挟持部分との間に部分に対応する位置に配されたものとされる。
【００４６】
上述のようにして、グラウンド用導電性部材４３における外側導体接続部４８が形成する弾性挟持固定部によって同軸ケーブル３０が固定されたもとで、同軸ケーブル３０の中心導体３１における被保持部分がシグナル用導電性部材４２の中心導体接続部４６により形成された弾性挟持部により挟まれて保持された絶縁ハウジング部材４１の内部は、グラウンド用導電性部材４３の外部から、グラウンド用導電性部材４３における窓部５１と絶縁ハウジング部材４１における窓部４５とを通じて視認することができる。
【００４７】
以上よりして、同軸ケーブルコネクタ装置４０を同軸ケーブル３０の端部に装着するにあたっては、同軸ケーブル３０の中心導体３１とシグナル用導電性部材４２との電気的接続及び同軸ケーブル３０の外側導体３３とグラウンド用導電性部材４３との電気的接続を、端部において中心導体３１及び外側導体３３が露出せしめられた同軸ケーブル３０の中心導体３１における被保持部分とされる部分を、シグナル用導電性部材４２の中心導体接続部４６が弾性挟持部を形成するものとして備える一対の相互対向する弾性片部間に形成される狭隙に差し込み、その後、同軸ケーブル３０を屈曲させてその端部における外側導体３３の被挟持部分とされる部分を、グラウンド用導電性部材４３に形成された開口部５０及び絶縁ハウジング部材４１に形成された開口部４４を通じてグラウンド用導電性部材４３における外側導体接続部４８が形成する弾性挟持固定部に挟持係合させる、という簡単で容易な二段階の作業によって成すことができる。即ち、同軸ケーブルコネクタ装置４０によれば、同軸ケーブル３０の中心導体３１に接続されるシグナル用導電性部材４２と、同軸ケーブル３０の外側導体３３に接続されるグラウンド用導電性部材４３と、シグナル用導電性部材４２とグラウンド用導電性部材４３とを相互絶縁状態をもって支持する絶縁ハウジング部材４１とを備えた構成のもとで、同軸ケーブル３０の中心導体３１とシグナル用導電性部材４２との電気的接続及び同軸ケーブル３０の外側導体３３とグラウンド用導電性部材４３との電気的接続がなされる同軸ケーブル３０の端部への装着を、従来提案されている同軸ケーブルコネクタ装置において要される一連の煩わしい作業が要されることなく、簡単で容易な作業をもって行うことができることになる。
【産業上の利用可能性】
【００４８】
以上のような本願発明に係る同軸ケーブルコネクタ装置は、同軸ケーブルの中心導体に接続されるシグナル用導電性部材と、同軸ケーブルの外側導体に接続されるグラウンド用導電性部材と、シグナル用導電性部材とグラウンド用導電性部材とを相互絶縁状態をもって支持する絶縁ハウジング部材とを備えて構成されるもとで、同軸ケーブルの中心導体とシグナル用導電性部材との電気的接続及び同軸ケーブルの外側導体とグラウンド用導電性部材との電気的接続がなされる同軸ケーブルの端部への装着を、簡単で容易な作業をもって行うことができるものとして、各種の電子機器等に広く適用され得るものである。
【符号の説明】
【００４９】
１０，４０・・・同軸ケーブルコネクタ装置，  １１，４１・・・絶縁ハウジング部材，  １２，４２・・・シグナル用導電性部材，  １３，４３・・・グラウンド用導電性部材，  １４，２０，４４，５０・・・開口部，  １５，２１，４５，５１・・・窓部，  １６，４６・・・中心導体接続部，  １７，４７，１９，４９・・・接続端子部，  １８，４８・・・外側導体接続部，  ２５，５２・・・曲面部，  ２６・・・平面部，  ３０・・・同軸ケーブル，  ３１・・・中心導体，  ３２・・・内部誘電体，  ３３・・・外側導体，  ３４・・・外皮絶縁体
【図１】
0006573074.tif 000002
【図２】
0006573074.tif 000003
【図３】
0006573074.tif 000004
【図４】
0006573074.tif 000005
【図５】
0006573074.tif 000006
【図６】
0006573074.tif 000007
【図７】
0006573074.tif 000008
【図８】
0006573074.tif 000009
【図９】
0006573074.tif 000010
【図１０】
0006573074.tif 000011
【図１１】
0006573074.tif 000012
【図１２】
0006573074.tif 000013
【図１３】
0006573074.tif 000014
【図１４】
0006573074.tif 000015
【図１５】
0006573074.tif 000016
【図１６】
0006573074.tif 000017
【図１７】
0006573074.tif 000018
【図１８】
0006573074.tif 000019
【図１９】
0006573074.tif 000020
【図２０】
0006573074.tif 000021